(57)【要約】【課題】通信端末からリンク連結が要求される時、スレーブである補助通信端末がリンク連結可能の範囲内に存在しないか、無線通信状態が良好でないため、前記リンク連結に失敗した場合、自動に前記リンク連結を再度試みる方法を提供する。【解決手段】ブルートゥース無線通信によって、スレーブとして動作するブルートゥース無線リンク装置を備える通信端末とリンクとを自動的に連結するために、マスターとして動作するブルートゥース無線装置を備える通信端末は、前記スレーブとのリンク連結を要求する時、前記スレーブにリンク連結要求メッセージを伝送する。次に、前記マスターは、前記リンクが連結されたか否かを確認して、前記リンクが連結されていない場合は、前記リンクが連結されるまで、所定の自動リンク連結試みの回数の分だけの前記リンク連結要求メッセージを伝送する。【選択図】図３
2006262468.tif 000002
【特許請求の範囲】
【請求項１】
マスターとして動作するブルートゥース無線装置を備える通信端末とスレーブとして動作するブルートゥース無線装置を備える通信端末との間にリンクを連結する方法において、  (ａ)前記マスターによって所定の自動リンク連結試み回数を示すメッセージを前記スレーブに伝送する過程と、
(ｂ)前記スレーブによって前記自動リンク連結試み回数を示すメッセージを受信し、前記自動リンク連結試み回数を設定する過程と、
(ｃ)前記スレーブによって前記マスターにリンク連結を試みて、前記リンク連結に失敗した場合は、前記自動リンク連結試み回数の分だけのリンク連結を試みる過程と、
を備えることを特徴とする通信端末間の自動リンク連結方法。
【請求項２】
前記過程(ａ)において、前記マスターは、前記スレーブとリンクとを連結する度に、前記自動リンク連結試みの回数を示すメッセージを伝送することを特徴とする請求項１記載の通信端末間の自動リンク連結方法。
【請求項３】
マスターとして動作するブルートゥース無線装置を備える通信端末とスレーブとして動作するブルートゥース無線装置を備える通信端末との間にリンクを連結する方法において、
前記マスターに前記スレーブのＩＤを最初に登録する時、前記マスターが前記スレーブから応答メッセージを受信するまで、所定の自動リンク連結試み回数を示すメッセージを前記マスターによって前記スレーブに繰り返し伝送する過程と、
前記スレーブによって前記自動リンク連結試み回数を示すメッセージを受信すると、前記応答メッセージを前記マスターに伝送し、前記自動リンク連結試み回数を前記スレーブに設定する過程と、
前記スレーブによって前記マスターにリンク連結を試み、前記リンク連結に失敗した場合は、前記自動リンク連結試み回数の分だけのリンク連結を試みる過程と、
を備えることを特徴とする通信端末間の自動リンク連結方法。
【請求項４】
前記マスターは、前記自動リンク連結試み回数が変化する場合、前記スレーブから変化された自動リンク連結試み回数を示すメッセージに対する応答メッセージを受信するまで、前記変化を示すメッセージを前記スレーブに伝送する過程をさらに備えることを特徴とする請求項３記載の通信端末間の自動リンク連結方法。
【請求項５】
スレーブとして動作する通信端末は、前記通信端末が前記スレーブとして動作する間には、前記マスターによって設定された前記自動リンク連結試み回数を適用することを特徴とする請求項３記載の通信端末間の自動リンク連結方法。
【発明の詳細な説明】
【技術分野】
【０００１】
本発明は、ブルートゥース無線装置を備える通信端末に関し、特に、ブルートゥース無線装置を備える通信端末間のリンク連結方法に関する。
【背景技術】
【０００２】
無線通信技術の発展につれて、低コスト、低電力の無線装置または無線リンクの実現ができるようになった。前記のような無線通信技術は、小型化及び高携帯性の傾向の通信装置と事務機器を連結するコード(cord)を除去する根拠を補う。これに関連して、スウェーデンのエリクソン社(Ericsson)によって“ブルートゥース(bluetooth)”が提案された。ブルートゥースの目標は、高速で信頼性の高い近距離無線通信を提供し、産業使用者に便利なサービスを提供することである。ブルートゥースは、携帯できるコンピュータ及び通信装置のモデルを最適化した技術的の特性を定義する。ブルートゥース装置は、特に、低コスト、堅固さ、能率、音声及びデータの高速伝送を提供するために設計された。
【０００３】
ブルートゥース無線モジュールを備える装置は、１０メータ以内の範囲に位置した携帯電話、ラップトップ(laptop)、及びデスクトップ(desktop)間の無線リンクを通して、音声及びデータを実時間で伝送することができる。同一のチャネルを共有するブルートゥースユニットは、マスターとして動作するユニット及びスレーブとして動作する複数の他のユニットでピコネット(piconet)を形成する。前記マスターは、音声及び／またはデータを伝送し、前記スレーブは、音声及び／またはデータを受信する。前記マスター及び前記スレーブの役割は、伝送の主体によって変わる。ブルートゥース無線装置は、小型のマイクロチップの形態に製作することができるので、通信装置に容易に結合されることができ、世界的に通信互換ができる２.４ＧＨｚ帯域で動作する。
【０００４】
無線リンクは、互換性のあるブルートゥース通信端末間、より具体的には、通信端末の本体と補助通信端末との間に連結される。例えば、無線リンクは、呼を着発信する時、音声またはデータの伝送のために、移動通信端末と無線ヘッドセットとの間に連結される。リンク連結を要求する本体、つまり、前記マスターは、前記移動通信端末であり、前記スレーブは、前記無線ヘッドセットである。
【０００５】
一方、マスターである前記通信端末がリンク連結を要求する時、前記補助通信端末がリンク連結可能の範囲内に存在しないか、無線通信状態が良好でない場合は、リンク連結に失敗する。この場合、使用者は、リンク連結を再び試みるべきである。
【発明の開示】
【発明が解決しようとする課題】
【０００６】
従って、本発明の目的は、通信端末からリンク連結が要求される時、スレーブである補助通信端末がリンク連結可能の範囲内に存在しないか、無線通信状態が良好でないため、前記リンク連結に失敗した場合、自動に前記リンク連結を再度試みる方法を提供することにある。
【課題を解決するための手段】
【０００７】
前記目的を達成するための本発明は、ブルートゥース無線装置を備える通信端末間のリンク連結方法を提供する。ブルートゥース無線通信によって、スレーブとして動作するブルートゥース無線リンク装置を備える通信端末とリンクとを自動に連結するために、マスターとして動作するブルートゥース無線装置を備える通信端末は、前記スレーブとのリンク連結を要求する時、前記スレーブにリンク連結要求メッセージを伝送する。次に、前記マスターは、前記リンクが連結されたか否かを確認して、前記リンクが連結されていない場合は、前記リンクが連結されるまで、所定の自動リンク連結試みの回数の分だけの前記リンク連結要求メッセージを伝送する。
【発明の効果】
【０００８】
前述してきたように、本発明は、ブルートゥース無線装置を備える通信端末間に自動リンク連結試み回数を設定することによって、良好でない無線通信状態のためリンク連結に失敗した時、使用者による再連結の試みを必要とせず、自動に無線リンク連結を試みる。
【発明を実施するための最良の形態】
【０００９】
以下、本発明による好適な一実施形態を添付図面を参照しつつ詳細に説明する。下記説明において、本発明の要旨を明確にするために関連した公知機能または構成に対する具体的な説明は省略する。
図１を参照して、本発明が適用される移動通信端末に関して説明する。図１は、本発明の一実施形態によるブルートゥース無線装置を備える移動通信端末のブロック図である。
【００１０】
図１を参照すると、前記移動通信端末は、大別してブルートゥースモジュール２１０と移動通信端末部２２０に区分される。前記ブルートゥースモジュール２１０の基底帯域処理部２１３及びリンク制御部２１４は、ＨＣＩ(Host Control Interface)を通って制御部２２１に連結され、ＨＣＩパケット(Packet)を送受信することで、制御命令及びユーザデータを交換する。前記ＨＣＩパケットは、コマンド(Command)、イベント(Event)、及びデータパケットを含む。前記ブルートゥースモジュール２１０のＲＦ送信部２１１は、基底帯域処理部２１３から受信された無線送信用データパケットを、伝送の前に、所定の周波数帯域に変調及び増幅させる。前記ブルートゥースモジュール２１０のＲＦ受信部２１２は、周波数信号の雑音を最大に抑制して、受信された信号から所定の周波数帯域信号を増幅した後、前記増幅された信号をダウンコンバート(downconvert)する。基底帯域処理部２１３は、ホストである移動通信端末部２２０の制御部２２１から受信されるＨＣＩデータパケットにアクセスコード(access code)及びヘッダを付加し、その結果のパケットを無線送信のための所定のデータパケットに変換し、前記ＲＦ送信部２１１を通して所定の周波数帯域に無線送信する。前記基底帯域処理部２１３は、さらに、前記ＲＦ受信部２１２から受信されるデータパケットをＨＣＩパケットに変換して前記制御部２２１に印加する。前記リンク制御部２１４は、前記制御部２２１から受信されるコマンドパケットの命令によって前記ブルートゥースモジュール２１０を制御し、前記基底帯域処理部２１３から受信される無線ヘッドセットの要求及び結果情報を前記制御部２２１にＨＣＩパケットの状態で伝達する。
【００１１】
図１において、前記制御部２２１は、前記移動通信端末部２２０の全般的な動作を制御し、所定の自動リンク連結試み回数によって無線リンク連結を制御する。メモリ２２２は、前記移動通信端末の制御に必要になる制御データ及びプログラムデータを貯蔵するプログラムメモリ、及び制御動作の間に発生するデータまたは使用者によって発生するデータを貯蔵するデータメモリを含む。前記プログラムメモリは、本発明によって、自動リンク連結メニュー及びそれに関連するプログラムデータを含む。キー入力部２２３は、複数の数字キー及び機能キーを有し、使用者が押すキーに対応するキー入力データを前記制御部２２１に出力する。表示部２２４は、前記制御部２２１の制御によって、データ通信及び前記無線ヘッドセットを利用した音声通話に関連した状態及び動作を表示する。ＲＦモジュール２２５は、前記制御部２２１の制御によって、音声データ及び制御データの送受信を制御する。音声処理部２２６は、前記制御部２２１の制御によって、前記ＲＦモジュール２２５から受信された音声データを可聴音に変換し、前記可聴音をスピーカ(speaker)を通して出力する。さらに、前記音声処理部２２６は、前記制御部２２１の制御によって、マイクロフォン(microphone)から受信される音声信号を音声データに変換して前記ＲＦモジュール２２５に提供する。図１において、前記ブルートゥースモジュール２１０及び前記移動通信端末部２２０にはそれぞれアンテナＡＮＴ２及びアンテナＡＮＴ１が備わるが、ブルートゥース用帯域から携帯電話用帯域を分離する分離器(separator)(図示せず)を使用すると、前記２つのアンテナを１つのアンテナに統合して具現することができる。ＬＥＤ(Light Emitting Diode)(図示せず)は、前記制御部２２１の制御によって、前記移動通信端末の通話連結状態を表示する。 
【００１２】
本発明によって、メニューキー及び数字キーの入力によって自動リンク連結メニューを選択し、所望する連結試み回数を入力して前記自動リンク連結試み回数を設定する。前記動作は、図２を参照して説明する。図２は、本発明の一実施形態によって移動通信端末において自動リンク連結試み回数を設定する動作を示すフローチャートである。
【００１３】
図２を参照すると、前記移動通信端末の前記制御部２２１は、段階１０１で、自動リンク連結メニューが選択されるか否かを判断する。前記自動リンク連結メニューが選択される場合、前記制御部２２１は段階１０３に進行し、前記自動リンク連結メニューが選択されない場合は、段階１０９に進行する。段階１０３で、前記制御部２２１は、前記表示部２２４に自動リンク連結試み回数の入力を要求するメッセージを表示する。段階１０５で、数字キーが入力されると、前記制御部２２１は段階１０７に進行し、数字キー以外のキーが入力されると、段階１０９に進行する。段階１０７で、前記制御部２２１は、前記入力された数字キーに対応する自動リンク連結試み回数を設定して前記過程を終了する。例えば、数字キー７が入力されると、前記制御部２２１は、自動リンク連結試み回数を７に設定し、自動リンク連結モードを設定する。段階１０９で、前記制御部２２１は、前記入力されたキーに対応する機能を遂行する。
【００１４】
前記のような過程を通って設定された前記自動リンク連結試み回数は、ブルートゥース無線通信によって他の通信端末に設定されることもできる。前記自動リンク連結試み回数が設定された前記移動通信端末は、マスターとして動作し、設定された前記自動リンク連結試み回数を示すメッセージをスレーブとして動作する通信端末に伝送する。次に、前記スレーブから前記マスターへの最初のリンク連結試みが失敗すると、前記スレーブは、前記設定された自動リンク連結試み回数の分だけのリンク連結を自動に再度試みる。ブルートゥース無線通信によって設定された前記自動リンク連結試み回数は、移動通信端末がスレーブとして動作する時のみに、移動通信端末に対して自動リンク再連結回数として使用される。移動通信端末がマスターとして動作する場合は、図２に示す過程によって設定された自動リンク連結回数の分だけリンク連結を再度試みる。つまり、移動通信端末がマスターとして動作するかスレーブとして動作するかによって、前記自動リンク連結試み回数が設定され管理される。
【００１５】
前記のような過程によって前記自動リンク連結モードが設定されたマスターとして動作する通信端末と、スレーブとして動作する通信端末との無線リンク連結の過程を、図３を参照して説明する。本発明の実施形態において、例えば、前記マスターは前記移動通信端末であり、前記スレーブは無線ヘッドセットであるケースに関して説明する。図３は、本発明の一実施形態によるリンク連結過程の制御動作を示すフローチャートである。
【００１６】
図３を参照すると、前記移動通信端末の制御部２２１は、段階３０１で、リンク連結要求が発生しているか否かを確認する。例えば、呼が着信した場合は、前記呼の着信自体がリンク連結要求になり、着信した呼の連結のために、段階３０３乃至段階３１３で、リンク連結を試みる。従って、前記制御部２２１は、呼の着発信または前記移動通信端末の他の動作によって発生したリンク連結要求があるか否かを確認する。前記のようなリンク連結要求がある場合、前記制御部２２１は、段階３０３で、リンク連結要求データパケットを前記スレーブ、つまり、前記無線ヘッドセットに伝送し、パケット伝送回数をカウントする。段階３０５で、前記制御部２２１は、リンク連結完了データパケットが受信されているか否かを判断する。前記リンク連結完了データパケットが受信された場合、前記制御部２２１は、段階３１３に進行し、前記リンク連結完了データパケットが受信されなかった場合は、段階３０７に進行する。段階３１３で、前記制御部２２１は、リンク連結の成功を表示するＬＥＤを点灯し、連結されたリンクを通して音声データを前記スレーブに伝送する。
【００１７】
一方、段階３０７で、前記制御部２２１は、前記移動通信端末がリンク自動 連結モードに設定されているか否かを判断する。前記制御部２２１は、リンク 自動連結モードが設定されている場合は段階３０９に進行し、設定されていない場合は段階３１１に進行する。段階３０９で、前記制御部２２１は、前記リンク連結要求メッセージの伝送回数を前記設定された自動リンク連結試み回数と比較する。前記制御部２２１は、前記リンク連結要求メッセージの伝送回数が前記設定された自動リンク連結試み回数より大きいか同一である場合、段階３１１に進行し、前記伝送回数が前記設定された自動リンク連結試み回数より少ない場合は、段階３０３に進行する。つまり、前記設定された自動リンク連結試み回数が５である場合、前記リンク連結要求メッセージを５回まで伝送することで、リンク連結を試みる。段階３１１で、前記制御部２２１は、リンク連結の失敗を認知し、前記リンク連結の失敗を示すメッセージを表示し、前記リンク連結過程を終了する。
【００１８】
一方、前記本発明の詳細な説明では具体的な実施形態に挙げて説明してきたが、本発明の範囲内で様々な変形が可能であるということは勿論である。例えば、マスターとして動作する通信端末がブルートゥース無線通信によって、スレーブとして動作する通信端末に対して自動リンク連結回数を設定する場合、前記マスターは、前記スレーブが最初に前記マスターにＩＤを登録する時、前記自動リンク連結試み回数を示すメッセージを前記スレーブに伝送することができる。さらに、前記マスターに設定された自動リンク連結試み回数が変化する度に、前記マスターは、自動リンク連結試み回数を示すメッセージを前記スレーブに伝送して既存の自動リンク連結試み回数を更新する。この場合、前記マスターは、前記スレーブから自動リンク連結試み回数メッセージの受信に対する応答メッセージを受信するまで、前記自動リンク連結試み回数メッセージを前記スレーブに周期的に伝送する。従って、本発明の範囲は前記実施形態によって限られるべきでなく、特許請求の範囲とそれに均等なものによって定められるべきである。
【図面の簡単な説明】
【００１９】
【図１】本発明の一実施形態によってブルートゥース無線装置を備える移動通信端末の本体のブロック図である。
【図２】本発明の一実施形態によって移動通信端末に対して自動リンク連結試み回数を設定する過程の制御動作を示すフローチャートである。
【図３】本発明の一実施形態によるリンク連結過程の制御動作を示すフローチャートである。
【符号の説明】
【００２０】
２１０  ブルートゥースモジュール
２１１  ＲＦ送信部
２１２  ＲＦ受信部
２１３  基底帯域処理部
２１４  リンク制御部
２２０  移動通信端末部
２２１  制御部
２２２  メモリ
２２３  キー入力部
２２４  表示部
２２５  ＲＦモジュール
２２６  音声処理部
ＡＮＴ１  アンテナ１
ＡＮＴ２  アンテナ２
【図１】
2006262468.tif 000003
【図２】
2006262468.tif 000004
【図３】
2006262468.tif 000005